(57)【要約】【課題】一枚の連続な紙から構成され、上下左右にめくることが可能なハイパー・テキスト的機能を備え、携帯地図・マニュアル・パンフレット等に使える、高速生産に適するコンパクトな小冊子を提供する。【解決手段】従来の技術で、長方形用紙の直交格子線上の特定の位置に、山折り、谷折り、ミシン目、綴じの加工で、ほぼ上記の性質を備えた小冊子が生成される。しかし、一つの綴じに１０枚の紙が集中することで、皴の発生がおこり、その解決が求められている。本発明では、一つの綴じを二つの平行する綴じに置換することにより、小冊子の本来の性質を損なわないで、皴の発生を最小にすることができた。同時に、この形状により、外側から接着テープによる乾式接合が可能となり、より簡便で高速の製造が可能となった。【選択図】図１
2008094071.tif 000002
【特許請求の範囲】
【請求項１】
小冊子となる長方形用紙において、紙面の主面をＡ面、裏をＢ面とし、Ｂ面上で位置・形状の定義をするに、長方形の二辺に平行に、直交する行格子線ｍ（ｍ０，ｍ１，ｍ２，ｍ３，ｍ４，ｍ５，ｍ６，ｍ７）及び列格子線ｎ（ｎ０，ｎ１，ｎ２，ｎ３，ｎ４，ｎ５，ｎ６，・・・・・）、それらの交点（ｍ，ｎ）を定義し、行格子線の間隔ｍ１〜ｍ２，ｍ２〜ｍ３，は等しく、同様にｍ４〜ｍ５，ｍ５〜ｍ６，は等しいものとし、加工線もＢ面を基準として記述するとし、列格子線ｎ２上の（ｍ１，ｎ２）と（ｍ３，ｎ２）の間、（ｍ４，ｎ２）と（ｍ６，ｎ２）の間、及びｎ４上の（ｍ１，ｎ４）と（ｍ３，ｎ４）の間、（ｍ４，ｎ４）と（ｍ６，ｎ４）の間は開口の処理とし、ｎ６以降は同様の法則に準ずるとし、ｍ１，ｍ６は山折り、ｍ２，ｍ５は谷折りとし、Ｂ面で、折り目ｍ１をｍ３と接合、折り目ｍ６をｍ４と接合して形成された中間構造を、Ｂ面側を基準として、ｎ１，ｎ３，ｎ５対応部分が山折り、ｎ２，ｎ４対応部分が谷折りにより屏風状に折り畳まれた形状を特徴とする小冊子。
【請求項２】
小冊子となる長方形用紙において、紙面の主面をＡ面、裏をＢ面とし、Ｂ面上で位置・形状の定義をするに、長方形の二辺に平行に、直交する行格子線ｍ（ｍ０，ｍ１，ｍ２，ｍ３，ｍ４，ｍ５，ｍ６，ｍ７）及び列格子線ｎ（ｎ０，ｎ１，ｎ２，ｎ３，ｎ４，ｎ５，ｎ６，・・・・・）、それらの交点（ｍ，ｎ）を定義し、行格子線の間隔ｍ１〜ｍ２，ｍ２〜ｍ３，は等しく、同様にｍ４〜ｍ５，ｍ５〜ｍ６，は等しいものとし、特にｍ３〜ｍ４はゼロとし、加工線もＢ面を基準として記述するとし、列格子線ｎ２上の（ｍ１，ｎ２）と（ｍ３，ｎ２）の間、（ｍ４，ｎ２）と（ｍ６，ｎ２）の間、及びｎ４上の（ｍ１，ｎ４）と（ｍ３，ｎ４）の間、（ｍ４，ｎ４）と（ｍ６，ｎ４）の間は開口の処理とし、ｎ６以降は同様の法則に準ずるとし、ｍ１，ｍ６は山折り、ｍ２，ｍ５は谷折りとし、ｍ３（＝ｍ４）は山折りを準備し、Ｂ面で、相接する折り目ｍ１とｍ６を外部から接着テープで接合して形成された中間構造を、Ｂ面側を基準として、ｎ１，ｎ３，ｎ５対応部分が山折り、ｎ２，ｎ４対応部分が谷折りにより屏風状に折り畳まれた形状を特徴とする小冊子。
【発明の詳細な説明】
【技術分野】
【０００１】  本発明は、リーフレット、地図・ガイドブック、マニュアル、ちらし、ノート等のコンパクトな紙メディアを対象とするもので、一枚の連続した紙で構成され、上下左右にページをめくれて多方向に途切れなく参照できることを特徴とする小冊子に関するものである。
【背景技術】
【０００２】  従来、この種の小冊子については、例えば、本願発明者によって創出された特許文献１、２、３および非特許文献１の折り畳み文書、小冊子、携帯地図がすでに提出されている。（ここで、紙メディアの紙とは、いわゆる紙類で、合成紙、シートなど薄く延びの少ない平面状シートの総称とする。）
例えば、特許文献１、３によれば、長方形用紙において、これを直交する格子状に分割し、格子線上の指定された位置に、指定された加工（山折り、谷折り、開口処理（スリットあるいはミシン目）、および綴じ）を施すことにより形成される小冊子が記載されている。特に、その見開き状態にあっては、見開きは上下左右の４ページで構成されており（特許文献３の図１）上下左右のアクセスは通常の本と同じ感覚で夫々の方向にページをめくればよいように構成されている。【０００３】
【特許文献１】特願２００４−１８８４２５
【特許文献２】実録第３１１４８２５号
【特許文献３】特願２００５−３５７６１
【非特許文献１】Ｋｏｒｙｏ  Ｍｉｕｒａ，“Ｄｅｓｉｇｎ  ｏｆ  ｐｏｒｔａｂｌｅ  ｐａｐｅｒ  ｍａｐｓ  ｅｎａｂｌｉｎｇ  ｌｏｎｇｉｔｕｄｉｎａｌ  ａｃｃｅｓｓ”，ＸＸＩＩ  Ｉｎｔｅｒｎａｔｉｏｎａｌ  Ｃａｒｔｏｇｒａｐｈｉｃ  Ｃｏｎｇｒｅｓｓ，１１〜１６  Ｊｕｌｙ  ２００５，ＩＳＢＮ−０９５８−４６０９３−０
【発明の開示】
【発明が解決しようとする課題】
【０００４】  この種の小冊子の生産で確認された一つの問題点がある。それは、小冊子の基幹を構成する綴じ部分における、皴の発生である。この綴じの線には、１０枚の紙が集中しており、これはさらに縦の折り目と直交することが、皴の原因であると考えられる。薄い紙の使用で、ある程度はこの問題を回避できるが、完全とは言えない。従って、基本的な構造を大きく変えないで、皴の発生を避けるための小冊子の形態の改良を求めることが第一の課題である。【０００５】  加えて、この種の小冊子は、通常短い時間で大量に製造するという高速生産のパターンの需要が多い。従来の開発で、例えば特許文献３では、開口の処理でスリットに代えてミシン目を採用する方策が提案された。残された量産化への障害は、糊付け工程の問題である。湿式の糊付け工程は、相対する面の位置への塗布、圧着、乾燥などで工程サイクルが一般に長い。従って、より高速の生産に適応する、小冊子の形態の改良を求めることが第二の課題となっている。
【課題を解決するための手段】
【０００６】  本発明は、前述の如き課題を解決することで、性能の優れかつ高速生産に適用できる小冊子を創出されたものである。
そこで、請求項１記載の小冊子にあっては、小冊子となる長方形用紙において、紙面の主面をＡ面、裏をＢ面とし、Ｂ面上で位置・形状の定義をするに、長方形の二辺に平行に、直交する行格子線ｍ（ｍ０，ｍ１，ｍ２，ｍ３，ｍ４，ｍ５，ｍ６，ｍ７）及び列格子線ｎ（ｎ０，ｎ１，ｎ２，ｎ３，ｎ４，ｎ５，ｎ６，・・・・・）、それらの交点（ｍ，ｎ）を定義し、行格子線の間隔ｍ１〜ｍ２，ｍ２〜ｍ３，は等しく、同様にｍ４〜ｍ５，ｍ５〜ｍ６，は等しいものとし、加工線もＢ面を基準として記述するとし、列格子線ｎ２上の（ｍ１，ｎ２）と（ｍ３，ｎ２）の間、（ｍ４，ｎ２）と（ｍ６，ｎ２）の間、及びｎ４上の（ｍ１，ｎ４）と（ｍ３，ｎ４）の間、（ｍ４，ｎ４）と（ｍ６，ｎ４）の間は開口の処理とし、ｎ６以降は同様の法則に準ずるとし、ｍ１，ｍ６は山折り、ｍ２，ｍ５は谷折りとし、Ｂ面で、折り目ｍ１をｍ３と接合、折り目ｍ６をｍ４と接合して形成された中間構造を、Ｂ面側を基準として、ｎ１，ｎ３，ｎ５対応部分が山折り、ｎ２，ｎ４対応部分が谷折りにより屏風状に折り畳まれた形状を特徴とする小冊子を採用した。【０００７】    請求項２記載の小冊子にあっては、小冊子となる長方形用紙において、紙面の主面をＡ面、裏をＢ面とし、Ｂ面上で位置・形状の定義をするに、長方形の二辺に平行に、直交する行格子線ｍ（ｍ０，ｍ１，ｍ２，ｍ３，ｍ４，ｍ５，ｍ６，ｍ７）及び列格子線ｎ（ｎ０，ｎ１，ｎ２，ｎ３，ｎ４，ｎ５，ｎ６，・・・・・）、それらの交点（ｍ，ｎ）を定義し、行格子線の間隔ｍ１〜ｍ２，ｍ２〜ｍ３，は等しく、同様にｍ４〜ｍ５，ｍ５〜ｍ６，は等しいものとし、特にｍ３〜ｍ４はゼロとし、加工線もＢ面を基準として記述するとし、列格子線ｎ２上の（ｍ１，ｎ２）と（ｍ３，ｎ２）の間、（ｍ４，ｎ２）と（ｍ６，ｎ２）の間、及びｎ４上の（ｍ１，ｎ４）と（ｍ３，ｎ４）の間、（ｍ４，ｎ４）と（ｍ６，ｎ４）の間は開口の処理とし、ｎ６以降は同様の法則に準ずるとし、ｍ１，ｍ６は山折り、ｍ２，ｍ５は谷折りとし、ｍ３（＝ｍ４）は山折りを準備し、Ｂ面で、相接する折り目ｍ１とｍ６を外部から接着テープで接合して形成された中間構造を、Ｂ面側を基準として、ｎ１，ｎ３，ｎ５対応部分が山折り、ｎ２，ｎ４対応部分が谷折りにより屏風状に折り畳まれた形状を特徴とする小冊子を採用した。
【発明の効果】
【０００８】  従って、本発明の請求項１記載の小冊子の構造によれば、小冊子の基幹を構成する綴じが、離れた平行する二つの綴じになった。これにより、従来の一つの綴じに１０枚の紙が集中するという状況が、それぞれの綴じに５枚の紙の集中に変った。この改良により、皴の発生を減少させる効果がある。また二つの綴じの間隔は、各種の状況により適切な値をきめることができる。これは前記第一の課題にたいする解決である。【０００９】  また、請求項１記載の小冊子によれば、綴じ加工の対応部分が、すべて外部に露出する結果をもたらした。これにより、糊による綴じ加工だけでなく、外部から接着テープで接合できることになった。接着テープによる乾式の綴じ加工は、工程サイクルを短縮できることを意味する。これは前記第二の課題を解決することにもなった。【００１０】  また本発明の請求項２記載の小冊子によれば、相接する折り目ｍ１とｍ６を外部からテープで接合し、折り目ｍ３＝ｍ４はこれらとは接合されない。通常の場合では、この基幹となるべき綴じが完成していないことになる。しかし、本発明の小冊子では、すべての見開きは、十字形の折り目で形成されていることに注目しよう。一枚の紙に直交する二つの折り目がある場合、片方の折り目の開きは他方の折り目の開き角度により拘束される法則がある。（折り畳みテーブルの直交蝶番はその応用である。）従って、一見綴じが未完であっても、通常のあつかいでは紙が浮いてしまうことはない。そして、接着テープの採用は、工程サイクルの短縮という第二の課題を解決している。さらに、集中する紙がすべて固定されることにならないので、皴の発生を減少させる効果があり、第一の課題も解決していることになる。
【発明を実施するための最良の形態】
【００１１】  以下、本発明を図示例に基づいて説明する。
【実施例１】
【００１２】  以下、本発明の小冊子の第１実施例を図１から図７により説明する。紙による小冊子の構成を、通常の図面で一挙に説明することの困難に鑑み、最初に使用状態での小冊子を提示し、次に原紙の状態から、加工の各工程にほぼ沿うかたちで説明を行う。これは、必ずしも工程の順序を示すものではない。【００１３】  図１は、本発明の小冊子の使用状態の見開きを示す斜視図である。その見開きは直交する折り目によって４ページを構成する。横方向の折り目は上下二列であり、それぞれ上下方向のページのめくりを可能とする。左右方向のページのめくりは、縦方向の折り目の繰り返しによる屏風折りで行われる。【００１４】  図２は、対象となる長方形の用紙（印刷内容は省略）を示す平面図で、紙面の主面をＡ面、裏をＢ面とする。Ｂ面上で位置・形状について、長方形の二辺に平行に、直交する行格子線ｍ（ｍ０，ｍ１，ｍ２，ｍ３，ｍ４，ｍ５，ｍ６，ｍ７）及び列格子線ｎ（ｎ０，ｎ１，ｎ２，ｎ３，ｎ４，ｎ５，ｎ６，・・・・・）、それらの交点（ｍ，ｎ）を定義する。行格子線の間隔ｍ１〜ｍ２，ｍ２〜ｍ３，は等しく、同様にｍ４〜ｍ５，ｍ５〜ｍ６，は等しいものとする。
図３は、加工様式を表現する線種とその記号を示す。加工線もＢ面を基準として記述するとし、列格子線ｎ２上の（ｍ１，ｎ２）と（ｍ３，ｎ２）の間、（ｍ４，ｎ２）と（ｍ６，ｎ２）の間、及びｎ４上の（ｍ１，ｎ４）と（ｍ３，ｎ４）の間、（ｍ４，ｎ４）と（ｍ６，ｎ４）の間は開口処理１３（ミシン目またはスリット）とし、ｎ６以降は同様の法則に準ずるとし、ｍ１，ｍ６は山折り１１、ｍ２，ｍ５は谷折りとする。【００１５】  上記の加工により、原紙は図４の平面図、右側面図で示される観音折り形状になる。なお、側面図では、折り畳まれた紙の形状を見やすくするために誇張して記載されている（図５、６でも踏襲する）。
図５の平面図、右側面図は、Ｂ面で、折り目ｍ１をｍ３と、折り目ｍ６をｍ４と、一括して接着テープ１４で接合して形成された中間構造を示す。
図６の平面図、右側面図は、上記中間構造に（各層毎でなく全体として）加える折り目加工を示す。Ｂ面側を基準として、ｎ１，ｎ３，ｎ５対応部分が山折り１１、ｎ２，ｎ４対応部分が谷折り１２である。【００１６】  図７の斜視図は、以上の加工により生成された、屏風状に折り畳まれた小冊子を示す。折り目ｎ２，ｎ４のミシン目を開けば、使用状態の図１の斜視図の小冊子となる。開口処理にスリットを用いた場合は、図７を経ずに図１となる。【００１７】  あらためて、図１で上下のページの綴じの位置を見ると、一定の間隔がある。つまり上のページの５枚の紙が集中する綴じと、同じく下の綴じが分離されていることがわかる。この分離によって、従来１０枚の紙が集中していた綴じでの歪を軽減し、皴の発生を抑制する効果がある。特に、縦の折り目が交差する部分での効果は著しい。【００１８】  もう一つの効果は、図４の右側面図に見られるように、ｍ１とｍ６が離れているために、Ｂ面のｍ３〜ｍ４の部分が露出している。従って、糊による接合ばかりでなく、図５に見られる接着テープによる接合も可能になったのである。【００１９】  なお、図５の右側面図で、上方にｍ１〜ｍ２〜ｍ３、下方にｍ４〜ｍ５〜ｍ６の袋状の部分が出ている。この袋状の部分を同じような形で本発明に増設すれば、上下方向の見開きの数を増やすことができる。
【実施例２】
【００２０】  次に、本発明の小冊子の実施例２を、図１〜７を援用して説明する。実施例２では、ｍ３〜ｍ４の距離をゼロとし、ｍ３（＝ｍ４）は山折り１１を準備するとし、接着テープで接合する方法を採用した。山折りを準備するとは、山折りをし、折り戻しておくことである。実施例１では、図４に見るように、ｍ３〜ｍ４の間は、有限の距離であり、それが効果をもたらした。ところで、接着テープ接合を前提として、ｍ３〜ｍ４の距離をゼロとすると、ｍ１とｍ６は接合されるが、接着テープとｍ３（＝ｍ４）は接触せず、もちろん接合されない。常識的には、この部分の紙あるいはページは、浮いてしまうと思われる。【００２１】  しかし、本発明の小冊子では、すべての見開きは、図１に見るように、十字形の折り目１１、で形成されていることに注目しよう。図では横方向に二つの折り目が並行しているが、実施例２ではｍ３＝ｍ４の条件により、単一の折り目１１である。従って、見開きは、Ｂ面基準で山折り１１、Ａ面基準で谷折り１２が直交していることになる。試すとすぐわかるが、一枚の紙に直交する折り目がある場合、片方の折り目の開き角度は他方の折り目の開き角度により拘束される法則がある。折り畳みテーブルの直交蝶番では厳密に法則が適用し、一方紙の場合は柔軟性があるから、ほどほどに拘束される。この場合Ａ面からみて双方とも谷折り１２であるから、一方の折り目角度が１８０度に近づかないかぎり、他方の折り目の角度は変わることができない。従って、一見綴じが未完であっても、図１の位置でこの小冊子を手に持った場合、紙面が浮いてしまうことはほとんどない。さらにこの見開きは、袋状態で折り返しの紙に支持されていることも効いている。なお、ｍ３（＝ｍ４）の山折り（Ｂ面基準）は、予め形成しておく場合と、ユーザーがページをめくることで生成される場合がある。【００２２】  さらに、このような柔軟な構成によって、歪はよりよく開放されことは自明であり、皴の発生を最小限にすることができる。【００２３】  なお、本発明の小冊子の具体的構成は、図示のもの等に限定されることなく、適宜自由に設定、変更できるものである。例えば、表紙の装着、接合の部分的省略または追加、袋状態のページの貼り合わせ、裏面を綴じた完全な冊子本、上下左右のページの表示の方策等があげられる。
【図面の簡単な説明】
【００２４】
【図１】本発明の小冊子の使用状態での見開きを示す斜視図である。
【図２】対象となる長方形の用紙の裏面（Ｂ面）を示す平面図であり、加工（山折り、谷折り、ミシン目）とその位置が座標（ｍ，ｎ）で示される。
【図３】紙の加工様式を表現する線種と記号を示す。
【図４】折り加工を示す平面図と右側面図である。
【図５】接着テープ接合を示す平面図と右側面図である。
【図６】生成された中間構造の折り加工を示す平面図と右側面図である。
【図７】図６までの加工により製造された本発明の小冊子の構成を示す斜視図である。
【符号の説明】
【００２５】Ａ          用紙表面
Ｂ          用紙裏面
ｍ（ｍ０，ｍ１，ｍ２，ｍ３，ｍ４，ｍ５，ｍ６，ｍ７）      行方向格子線
ｎ（ｎ０，ｎ１，ｎ２，ｎ３，ｎ４，ｎ５，ｎ６，・・・）    列方向格子線
（ｍ，ｎ）  格子線交点
１１        山折り（Ｂ面を基準）
１２        谷折り（Ｂ面を基準）
１３        開口（ミシン目またはスリット）
１４        接着テープ
【図１】
2008094071.tif 000003
【図２】
2008094071.tif 000004
【図３】
2008094071.tif 000005
【図４】
2008094071.tif 000006
【図５】
2008094071.tif 000007
【図６】
2008094071.tif 000008
【図７】
2008094071.tif 000009